(57)【特許請求の範囲】
【請求項１】
フレーム構造の脚に、座体がその後部を中心にして跳ね上げ回動自在に取付けられていると共に、背もたれがその下部を中心にして前倒し可能に取付けられており、座体を跳ね上げ回動させると複数の椅子の脚が前後に嵌まり合うように設定されており、背もたれを前倒しすると複数の椅子が上下に嵌まり合うように設定されている椅子であって、
前記座体と背もたれとが、脚の後部に水平状に延びるように設けた共通の支軸に回動自在に取り付けられており、更に、前記脚は上向き突出部を有する後部脚を備えている一方、前記背もたれはアーム又はブラケットを介して前記支軸に取り付けられており、背もたれを起こした状態でアーム又はブラケットが前記後部脚の上向き突出部に上方から当たっている、
椅子。
【発明の詳細な説明】
【０００１】
【発明の属する技術分野】
本発明は、スタッキング性を有する椅子に関するものである。
【０００２】
【従来の技術】
背もたれ付きで且つ非回転式の座体を備えた椅子において、スタッキング（重ね合わせ）できるものとしては、上下（鉛直方向）に積み重ねできるタイプが広く知られている。
【０００３】
このタイプの椅子は、一般に、脚は金属パイプから成るフレーム構造になっており、この脚を、左右巾又は前後巾若しくは両方が下方に行くに従って寸法が大きくなるようにハ字状の姿勢に形成することにより、椅子を上下に積み重ねできるようにしている。
【０００４】
他方、実公平７−４８１１２号公報には、側面視逆Ｌ字状の脚を備えた椅子において、脚の左右巾寸法を前後が巾狭で後部が巾広となるように形成すると共に、座体を、その後部を中心にして跳ね上がるように脚の後部に取付けることにより、椅子同士を前後方向に嵌め合わせできるようにすること（すなわち、水平方向にスタッキングできるようにすること）が記載されている。
【０００５】
また、特許第２５４７０９３号公報には、脚支柱に座体を水平回転自在に取付けたいわゆる回転式椅子において、背もたれを前倒し可能とすることにより、椅子を机の内部のような高さの低い空間に収納できるようにすることが記載されている。
【０００６】
【発明が解決しようとする課題】
背もたれが固定式で上下に積み重ねできる従来の椅子は、上下に積み重ねると、上方の椅子は下方の椅子よりも背もたれの厚さ分だけ手前側にずれるため、通常の姿勢では椅子をある程度以上の数に積み重ねることはできない。
【０００７】
従って、多数の椅子を安定した状態に積み重ねるためには、椅子をやや後傾させた姿勢で積み重ねせねばならず、そのためには、最下段の椅子を後傾した姿勢に保持する専用の台車が必要になるという問題があった。
【０００８】
他方、実公平７−４８１１２号公報のように構成すると、多数の椅子を、床に載置した状態で前後方向に嵌め合わせることができるため、椅子が倒れる問題を全く生じることなく格納スペースを有効利用できる利点がある。しかし、この公報の構成では、椅子を上下に積み重ねたり、背もたれよりも低い高さの空間に椅子を収納したりすることはできないという問題があった。
【０００９】
本発明は、このような現状を改善することを課題とする。
【００１０】
【課題を解決するための手段】
本発明では、フレーム構造の脚に、座体がその後部を中心にして跳ね上げ回動自在に取付けられていると共に、背もたれがその下部を中心にして前倒し可能に取付けられており、座体を跳ね上げ回動させると複数の椅子の脚が前後に嵌まり合うように設定されており、背もたれを前倒しすると複数の椅子が上下に嵌まり合うように設定されている椅子において、前記座体と背もたれとが、脚の後部に水平状に延びるように設けた共通の支軸に回動自在に取り付けられており、更に、前記脚は上向き突出部を有する後部脚を備えている一方、前記背もたれはアーム又はブラケットを介して前記支軸に取り付けられており、背もたれを起こした状態でアーム又はブラケットが前記後部脚の上向き突出部に上方から当たっている。
【００１４】
【発明の作用・効果】
本願発明では、背もたれを前倒しすることにより、机の内部のような高さの低い空間に椅子を収納することが可能となる。また、座体を跳ね上げ回動できるため、椅子を設置したままで床の掃除をする場合に掃除がしやすいという利点もある。
【００１５】
また、座体を跳ね上げ回動させると、複数の椅子を前後方向にスタッキングできるため、多数の椅子を床においた状態で倉庫等に格納したり部屋の隅に片付けておいたりするに際して、椅子の設置スペースを有効利用することができる。
【００１６】
また、多数の椅子を前後方向（水平方向）に嵌まり合った状態に重ね合わせることができると共に、上下方向（鉛直方向）に嵌まり合った状態に積み重ねることができるため、多数の椅子を倉庫等に格納したり部屋の隅に片付けたりするに際して、格納態様や片付け態様を状況に応じて選択できるという優れた効果を発揮できる。
【００１７】
更に、座体と背もたれとを共通した支軸に取り付けているため、椅子の構造を簡単化できる利点がある。
【００１８】
【発明の実施形態】
次に、本発明の実施形態を図面に基づいて説明する。
【００１９】
図１（Ａ）は右側面図、図２は正面図、図３は平面図、図４は図３のIV−IV視部分断面図、図５（Ａ）は要部の分離斜視図である。これらの図に示すように、椅子は、脚１と座体２と背もたれ３とを備えている。
【００２０】
脚１は金属パイプ製であり、前後左右４本の足４，５と、前後の足４，５をその上部において一体につなぐ左右の支持部６と、左右の支持部６を一体につなぐ前後一対の丸パイプ製連結杆７，８とでフレーム構造になっている。後部連結杆８は脚１の支持部６にねじ９で固定されている。
【００２１】
図１（Ａ）に示すように、前後の足４，５は、互いの間隔が下方に行くに従って広がるように側面視ハ字状の姿勢になっている。また、図３に示すように、左右の支持部６は、互いの左右間隔が手前側に行くに従って広がるように平面視ハ字状の姿勢になっている。なお、左右支持部６は、後部に行くに従って互いの間隔が広がるように平面逆ハ字状の姿勢になっていても良い。
【００２２】
座体２は、合成樹脂製や金属板製の座板１０にクッション１１を張った構造であり、図４及び図５（Ａ）に示すように、座板１０の左右両端部と中間部とには、前後方向に延びるリブ１２が下向きに突設されており、このリブ１２の後部に脚１の後部連結杆８を貫通させている。従って、座体２は後部連結杆８を中心にして跳ね上げ回動させることができる。
【００２３】
図１（Ｂ）に示すように、座体２は前部連結杆７によって支持されている。この場合、前部連結杆７がリブ１２の下面からはみ出ないように設定しており、このため、リブ１２のうち前部連結杆７に当たる箇所には切欠き１３を形成している。また、リブ１２の下面は水平状に延びている。
【００２４】
背もたれ３は、図１（Ｂ）や図５（Ａ）に示すように、合成樹脂製や金属板製の背板１４にクッション１５を張った構造になっている。そして、背板１４の左右両側端に、側面視で斜め下向きに延びるアーム１６を一体に設け、このアーム１６に前記後部連結杆８を貫通させている。
【００２５】
図３〜図５（Ａ）に示すように、背板１４のアーム１６は座板１０における左右リブ１２の外側に位置している。このため、背もたれ３は座体２に重なるように前倒しすることができる。既に理解できるように、後部連結杆８が座体２と背もたれ３とを回動自在に支持する共通の支軸になっている。
【００２６】
図３に示すように、座体２が脚１の平面形状に倣って平面視台形状に形成されていることから、座体２の左右後端部には、背板１４のアーム１６の回動を許容するため段違い部１７を形成している。
【００２７】
背もたれ３は、着座した人の背を支持する跳ね上げ姿勢に保持される必要がある。このように背もたれ３を跳ね上げ姿勢に保持するストッパー手段として、図１や図５（Ａ）に示すように、後足５に、脚１の支持部６よりも上方に突出する上向き突出部５ａを形成する一方、アーム１６には、前記後足５の上向き突出部５ａに上方から当たる横向き張り出し部１６ａを形成している。
【００２８】
図５（Ｂ）に示す変形例では、左右の支持部６の内側面に適当な長さの支軸８′をそれぞれ溶接によって固定し、これらの支軸８′に座用ブラケット１２′と背もたれ用ブラケット１６′とを回動自在に嵌め入れ、これらブラケット１２′，１６′に座板１０及び背板１４をねじ等のファスナーで固定している。
【００２９】
座体２と背もたれ３とを左右の支持部６に接続した後部連結杆８に取付ける場合でも、後部連結杆８は必ずしも左右の支持部６にねじ止めする必要はなく、溶接によって固定してもよい（この場合、座体２や背もたれ３は別パーツのブラケットに取付けるのが好ましい）。
【００３０】
図６及び図７に示すように、座体２を跳ね上げ回動させると、複数の椅子を前後に嵌め合わせる（スタッキングする）ことができる。図６は前後スタッキング状態での縦断側面図、図７は脚１の嵌め合わせ状態を示す平面図である。本実施形態の場合、後ろ側に位置した椅子の前部連結杆４，５が、前側に位置した椅子の後足５に当たる状態まで、椅子同士を前後に嵌め合わせることができる。
【００３１】
図８に示すように、背もたれ３を前倒しすると、多数の椅子を互いに嵌まり合った状態で上下に積み重ねることができる。この図から判るように、椅子は、側面視及び正面視で真上に積み重ねることができる。このため、専用の台車を要することなく、多数の椅子を安定した状態に積み重ねることができる。
【００３２】
本実施形態では、背もたれ３を前倒しすると、当該前倒しした背もたれ３の上面が水平状に広がるように設定している。他方、前記したように、座板１０におけるリブ１２の下面は水平状に延びている。このため、下段に位置した椅子における背もたれ３と上段に位置した椅子における背もたれ３とが水平状に重なって、椅子は安定した状態に保持される。
【００３３】
なお、座体２は必ずしも前部連結杆４で支持する必要はなく、従って、前部連結杆４をなくすことも可能である。この場合は、椅子を前後方向にスタッキングするにおいて、その嵌め合わせ深さを深くしてスペースをいっそう有効利用することができる。
【００３６】
本発明は上記の実施形態の他にも様々に具体化することができる。例えば脚は必ずしも金属パイプ製とする必要はなく、金属棒や金属板、或いは合成樹脂製とすることもできる。
【図面の簡単な説明】
【図１】（Ａ）は本願発明の実施形態に係る椅子の右側面図、（Ｂ）は部分的な縦断側面図、（Ｃ）は背もたれを前倒しした状態の部分断面図である。
【図２】正面図である。
【図３】平面図である。
【図４】図３のIV−IV視部分断面図である。
【図５】（Ａ）は要部の分離斜視図、（Ｂ）は変形例の分離斜視図である。
【図６】前後方向にスタッキングした状態の縦断側面図である。
【図７】前後方向にスタッキングした状態での脚の平面図である。
【図８】上下にスタッキングした状態での縦断側面図である。
【符号の説明】
１  脚
２  座体
３  背もたれ
４，５  足
６  支持部
７  前部連結杆
８  後部連結杆（支軸）
【図１】
0003789759.tif 000002
【図２】
0003789759.tif 000003
【図３】
0003789759.tif 000004
【図４】
0003789759.tif 000005
【図５】
0003789759.tif 000006
【図６】
0003789759.tif 000007
【図７】
0003789759.tif 000008
【図８】
0003789759.tif 000009